(57)【要約】  【課題】  導光板を用いなくても簡易な構成で表示画面である外側透明板への照射光の均一化を得ることができる安価なＬＥＤ内照式表示装置を提供すること。【解決手段】  反射板３と、この反射板３に対向配置された外側透明板４と、前記反射板３および外側透明板４間に両者を仕切るように設けられた内側透明板５と、前記反射板３の各端部および内側透明板５の各端部間に設けられた複数のＬＥＤ６とが筐体８に設置されており、反射板３で反射したＬＥＤ６からの光が内側透明板５を通ることによって外側透明板４を筐体内側から照明するように構成されたＬＥＤ内照式表示装置１であって、内側透明板５および外側透明板４は筐体８に支持されているアクリル板よりなり、さらに、内側透明板５は、筐体８に支持されている前記反射板３の側に内側透明板５の中央部５ａが最も近づく一方、前記中央部５ａから内側透明板５の各端部に向かって、かつ、前記反射板３から遠ざかるように傾斜して設けられるとともに、前記複数のＬＥＤ６を基板上に面状または列状に並べてなる板状のＬＥＤユニット部材９を、内側透明板５の前記中央部５ａにＬＥＤ６が向くよう設けてある。【選択図】      図３
0003124701.tif 000002
【実用新案登録請求の範囲】
【請求項１】
反射板と、この反射板に対向配置された外側透明板と、前記反射板および外側透明板間に両者を仕切るように設けられた内側透明板と、前記反射板の各端部および内側透明板の各端部間に設けられた複数のＬＥＤとが筐体に設置されており、反射板で反射したＬＥＤからの光が内側透明板を通ることによって外側透明板を筐体内側から照明するように構成されたＬＥＤ内照式表示装置であって、内側透明板および外側透明板は筐体に支持されているアクリル板よりなり、さらに、内側透明板は、筐体に支持されている前記反射板の側に内側透明板の中央部が最も近づく一方、前記中央部から内側透明板の各端部に向かって、かつ、前記反射板から遠ざかるように傾斜して設けられるとともに、前記複数のＬＥＤを基板上に面状または列状に並べてなる板状のＬＥＤユニット部材を、内側透明板の前記中央部にＬＥＤが向くよう設けてあること特徴とするＬＥＤ内照式表示装置。
【請求項２】
反射板と、この反射板に対向配置された外側透明板と、前記反射板および外側透明板間に両者を仕切るように設けられた内側透明板と、前記反射板の一端部および内側透明板の一端部間に設けられた複数のＬＥＤとが筐体に設置されており、反射板で反射したＬＥＤからの光が内側透明板を通ることによって外側透明板を筐体内側から照明するように構成されたＬＥＤ内照式表示装置であって、内側透明板および外側透明板は筐体に支持されているアクリル板よりなり、さらに、内側透明板は、筐体に支持されている前記反射板の一端側から他端側に向かって、かつ、前記反射板に近づくように傾斜して設けられるとともに、前記複数のＬＥＤを基板上に面状または列状に並べてなる板状のＬＥＤユニット部材を、内側透明板にＬＥＤが向くよう設けてあること特徴とするＬＥＤ内照式表示装置。
【請求項３】
前記反射板の両側に、それぞれ前記ＬＥＤユニット部材、内側透明板および外側透明板が設けられている請求項１または請求項２に記載のＬＥＤ内照式表示装置。
【請求項４】
前記外側透明板には、表面側から目視できるよう事業、商品等の各種内容が表示されているシートまたはフィルムが設けられている請求項１ないし請求項３のいずれかに記載のＬＥＤ内照式表示装置。
【考案の詳細な説明】
【技術分野】
【０００１】
この考案は、ＬＥＤ内照式表示装置に関するものである。
【背景技術】
【０００２】
従来この種のＬＥＤ内照式表示装置としては、事業、商品等の各種内容を示すための文字や絵柄等が印刷されたアクリル板よりなる導光板と、この導光板の前面側に対向配置され、表示画面としてのアクリル板よりなる外側透明板と、複数のＬＥＤを基板上に例えば列状に並べてなる上下一対の板状のＬＥＤユニット部材とが筐体に設置されているものがある。前記導光板は例えば矩形形状をなしており、その上端に沿って、一方のＬＥＤユニット部材を各ＬＥＤが上端面を向くよう設置するとともに、導光板の下端に沿って、他方のＬＥＤユニット部材を各ＬＥＤが下端面を向くよう設置してある。そして、導光板の上下端面からＬＥＤからの光を入射させ、その入射光が導光板内を通り、導光板の前面からの出射光を外側透明板に照射する。これにより、外側透明板全体にわたり均一に照射できて透明板の表面側から前記画像がはっきりと目視できるようになっている。
【考案の開示】
【考案が解決しようとする課題】
【０００３】
しかし、ＬＥＤの光を外側透明板全体にわたり均一に導くための導光板の作成には、その形状ならびにその厚みの設定等にかなりの精度が要求されるとともに、導光板へのドット印刷のために用いる専用の装置が必要であったりしてコスト高にならざるを得なかった。
【０００４】
この考案は、導光板を用いなくても簡易な構成で表示画面である外側透明板への照射光の均一化を得ることができる安価なＬＥＤ内照式表示装置を提供することを目的とする。
【課題を解決するための手段】
【０００５】
上記目的を達成するために、この考案のＬＥＤ内照式表示装置は、反射板と、この反射板に対向配置された外側透明板と、前記反射板および外側透明板間に両者を仕切るように設けられた内側透明板と、前記反射板の各端部および内側透明板の各端部間に設けられた複数のＬＥＤとが筐体に設置されており、反射板で反射したＬＥＤからの光が内側透明板を通ることによって外側透明板を筐体内側から照明するように構成されたＬＥＤ内照式表示装置であって、内側透明板および外側透明板は筐体に支持されているアクリル板よりなり、さらに、内側透明板は、筐体に支持されている前記反射板の側に内側透明板の中央部が最も近づく一方、前記中央部から内側透明板の各端部に向かって、かつ、前記反射板から遠ざかるように傾斜して設けられるとともに、前記複数のＬＥＤを基板上に面状または列状に並べてなる板状のＬＥＤユニット部材を、内側透明板の前記中央部にＬＥＤが向くよう設けてあること特徴とする。
【０００６】
この考案において、内側透明板は、筐体に支持されている前記反射板の側に内側透明板の中央部が最も近づく一方、前記中央部から内側透明板の各端部に向かって、かつ、前記反射板から遠ざかるように傾斜して設けられるとは、内側透明板は、図５（Ａ）、図５（Ｂ）に示すように例えば側面視くの字型形状になるよう例えば矩形形状の一対の平坦な板ｂ1 ，ｂ2 が組付けられてなることを意味している。この場合、一対の板ｂ1 ，ｂ2 の端面同士を当接保持させ、その当接面部を内側透明板５の中央部５ａとしている。
また、この考案では、内側透明板５の形状として、側面視において、内側透明板５の中央部５ａが、図５（Ｂ）に示したように、板ｂ1 ，ｂ2 同士が任意の角度を持って交差した形状のみならず、曲率半径を持った緩やかに湾曲しながら屈曲する、図５（Ｃ）に示すような側面視略くの字型形状も含む。そして、この考案で用いる前述したような特定の形状（側面視くの字型形状、曲率半径を持った緩やかに湾曲しながら屈曲する側面視略くの字型形状）に成形した内側透明板５を反射板３および外側透明板４間に設けない場合においては、外側透明板４を目視すると、外側透明板４の裏側に上下あるいは左右に設置されているＬＥＤユニット部材９のＬＥＤ６からの光を反射板３で反射させる反射方式を採用しているものの、ＬＥＤユニット部材９の設置領域に対応する外側透明板４の領域のみが明るく、ＬＥＤユニット部材間の対応する外側透明板４の領域は暗くなるというように、外側透明板全体にわたる均一な照射は行えなかったが、前記特定の形状の内側透明板５を反射板３および外側透明板４間に設けることにより、外側透明板全体にわたる均一な照射が行えるようになった。
そして、本考案者は、内側透明板の側面視の形状を上記以外のものにして外側透明板への照射光の均一化を図ることができるかどうかを検討した。例えば、図５（Ａ）に二点鎖線で示すような反射板３の側から内側透明板５’の中央部５ａ’が最も離れている逆くの字形状の内側透明板５’では、外側透明板全体にわたる均一な照射は行えず、明るさのバラツキが発生することが確認された。また、図５（Ａ）に二点鎖線で示すような反射板３に平行に対向配置された直線形状の内側透明板５’’でも、均一な照射は行えなかった。  さらに、この考案は別の観点から、反射板と、この反射板に対向配置された外側透明板と、前記反射板および外側透明板間に両者を仕切るように設けられた内側透明板と、前記反射板の一端部および内側透明板の一端部間に設けられた複数のＬＥＤとが筐体に設置されており、反射板で反射したＬＥＤからの光が内側透明板を通ることによって外側透明板を筐体内側から照明するように構成されたＬＥＤ内照式表示装置であって、内側透明板および外側透明板は筐体に支持されているアクリル板よりなり、さらに、内側透明板は、筐体に支持されている前記反射板の一端側から他端側に向かって、かつ、前記反射板に近づくように傾斜して設けられるとともに、前記複数のＬＥＤを基板上に面状または列状に並べてなる板状のＬＥＤユニット部材を、内側透明板にＬＥＤが向くよう設けてあること特徴とするＬＥＤ内照式表示装置を提供する。
この場合の内側透明板を図６に示す。すなわち、図６において、ＬＥＤ内照式表示装置１には、反射板３および外側透明板４間に両者３，４を仕切るように内側透明板５が設けられており、反射板３の一端部３ａおよび内側透明板５の一端部５ａ間に複数のＬＥＤ６を基板上に面状または列状に並べてなる板状のＬＥＤユニット部材９が、内側透明板５にＬＥＤ６が向くよう設けられており、さらに、内側透明板５は、筐体８に支持されている前記反射板３の一端側から他端側に向かって、かつ、前記反射板３に近づくように傾斜して設けられている。この構成は、特に外側透明板４の表示画面が図５（Ａ）の外側透明板４の表示画面に比べて小さいときに有効であり、一枚物の内側透明板５でも、図６のように設置することにより、図５（Ａ）の場合と同様に、外側透明板４全体にわたる均一な照射が行えることを本考案者は見出した。
【０００７】
この考案において、内側透明板は透明なアクリル板よりなるが、この考案では、前記透明なアクリル板とは、半透明な乳白色のアクリル板も含む。
また、この考案において、反射板は、アルミニウム等の反射率の良好な金属や、反射率の良好な合成樹脂板などを挙げることができる。さらに、この考案では、反射板として、アルミニウム等の金属に白色塗装を施したものや、鉄板に白色塗装を施したものを用いてもよい。
【考案の効果】
【０００８】
この考案では、反射板で反射したＬＥＤからの光が内側透明板を通ることによって外側透明板を筐体内側から照明するという反射方式を採用したので、従来の導光板を用いた照射方式に比べ、反射板および外側透明板間に設けた内側透明板を特定の形状に成形するというだけの簡易な構成で外側透明板への照射光の均一化を得ることができる。
【０００９】
すなわち、この考案では、アクリル板よりなる内側透明板の中央部が、反射板に最も近づく一方、前記中央部から内側透明板の各端部に向かって、かつ、前記反射板から遠ざかるように傾斜して設け、内側透明板の前記中央部にＬＥＤが向くようにした状態で板状のＬＥＤユニット部材を反射板および内側透明板間に上下あるいは左右に一対設けることにより、反射板で反射したＬＥＤからの光が内側透明板を通ることによってＬＥＤからの光を筐体内側から外側透明板全体にわたり均一に照射できる。
そして、前記外側透明板の表示画面に比べて小さい外側透明板を備えたＬＥＤ内照式表示装置では、単一のＬＥＤユニット部材を設けるだけでコスト安なＬＥＤ内照式表示装置を提供できる。すなわち、内側透明板を、筐体に支持されている反射板の一端側から他端側に向かって、かつ、前記反射板に近づくように傾斜して設けてなる特定の形状に成形することによって、反射板の一端部および内側透明板の一端部間に単一のＬＥＤユニット部材を設けるだけの構成で、外側透明板全体にわたる均一な照射が行え、コスト安にできる。
【００１０】
このように、この考案では、反射板を利用し、特定の形状に成形した内側透明板を反射板および外側透明板間に設け、板状のＬＥＤユニット部材を反射板および内側透明板間に設けるだけの簡易な構成で外側透明板全体にわたり均一に照射できる。つまり、この考案では、反射板、内側透明板、ＬＥＤユニット部材を組み合わせるだけの簡易な構成で、外側透明板への照射光の均一化を導光板を用いたときと同じ程度に得ることができ、しかも反射板と前記特定の形状に成形するだけの内側透明板を用いるこの考案の方が、手間をかけて成形される導光板を用いる従来方式に比べてコスト安にできる。
【考案を実施するための最良の形態】
【００１１】
以下、この考案の実施例を、図を参照しながら説明する。なお、それによってこの考案は限定されるものではない。
【００１２】
図１は、一対のＬＥＤユニット部材を用いるとともに、筐体が壁やパネル等の取り付け面に取り付けられるよう構成されたこの考案の第１の実施の形態を示す。図１はこの考案に係るＬＥＤ内照式表示装置を示す正面図であり、図２は図１におけるＡ−Ａ横断面図である。図３は図１におけるＢ−Ｂ縦断面図であり、図４は図３におけるＣ部拡大図である。  
図１〜４において、１は、例えば壁面２に取り付けられるＬＥＤ内照式表示装置である。このＬＥＤ内照式表示装置１は、例えばアルミニウム板よりなる反射板３と、この反射板３に対向配置された例えば乳白色のアクリル板よりなる外側透明板４と、前記反射板３および外側透明板４間に両者３，４を仕切るように設けられた例えば乳白色のアクリル板よりなる内側透明板５と、前記反射板３および内側透明板５間に設けられた複数のＬＥＤ６とが箱状の筐体８に設置されている。アクリル板４，５はＦＲＰや塩化ビニル板に比べて耐熱性、耐候性に優れ、光を通す性能が大変良好である。なお、外部透明板４と内側透明板５は透明であっても、あるいは半透明であってもよい。
この実施の形態では、筐体８は、横長の直方体形状をなしており、単一の反射板３を共有する形で反射板３の両側に、それぞれ前記複数のＬＥＤ６、内側透明板５および外側透明板４が設けられている。そして、内側透明板５、外側透明板４および反射板３は筐体８に支持されている。すなわち、正面および背面側にそれぞれ設けられた矩形形状の外側透明板４，４は、筐体８の正面および背面を構成する。矩形形状の反射板３は、外側透明板４の照射面４ａに平行に対向配置されており、かつ、外側透明板４，４間の中央に位置している。ＬＥＤ内照式表示装置１は、反射板３で反射したＬＥＤ６からの光が内側透明板５を通ることによって外側透明板４を筐体内側から照明するように構成されている。この実施の形態では、ＬＥＤ６として白色光を発するものを用いている。
【００１３】
さらに、内側透明板５は、中央部５ａより上方側の上側直線状平板部分ａと中央部５ａより下方側の下側直線状平板部分ｂとよりなる。そして、両平板部分ａ，ｂの端面同士を当接させ、その当接箇所を中央部５ａとする側面視くの字型形状になるよう内側透明板５を成形してある。この場合、内側透明板５は、反射板３の側に内側透明板５の中央部５ａが最も近づいている。この実施の形態では、前記両直線状平板部分ａ，ｂが鈍角θをなして当接している。
９は、上下一対の板状のＬＥＤユニット部材で、前記複数のＬＥＤ６が基板上にＴ方向に沿った状態で一列に並べてなる。Ｔ方向とは、筐体８の正面あるいは背面に平行な方向である。そして、各ＬＥＤユニット部材９は、内側透明板５の前記中央部５ａにＬＥＤ６が向くよう筐体８にＴ方向に沿った状態で筐体８の上面内壁１０と底面内壁１１に支持されている。各ＬＥＤ６には防水処理が施されている。
また、筐体８の底面部Ｅ、左右両側面部Ｆ，Ｇおよび上面部Ｈは主としてステンレス板で構成されている。この実施形態では、左側面部Ｆの外側に設けられこれを覆うネオプレーンゴム板１５を介してＬＥＤ内照式表示装置１は壁面２に取り付けられている。すなわち、１６は、壁面取付用ボルトで、このボルト１６によって筐体８はホールインアンカー止めによって左側面部Ｆを介して筐体８が壁面２に取り付けられている。そして、左右両側面部Ｆ，Ｇのそれぞれの内面に艶消し白色塗装が施されている。
【００１４】
前記アルミニウム板よりなる反射板３は、正面側と背面側の両面に艶消し白色塗装が施されている。また、反射板３を支持する上端側の上面部Ｈおよび下端側の底面部Ｅのそれぞれの内面にも艶消し白色塗装が施されている。底面部Ｅには、所定の位置に複数個の水抜き用の穴２０がステンレス製の防虫ネット２１でカバーされた状態で設けられている。
【００１５】
外側透明板４，４には、表面側から目視できるような例えば事業内容を示すための文字や絵柄等が印刷あるいは塗装されているフィルムが設けられている。例えば、正面に位置する外側透明板４の表面には、塩化ビニル製フィルム（電飾用赤）２５が貼り付けてある。背面に位置する外側透明板４の表面にも、塩化ビニル製フィルム（電飾用赤）２５が貼り付けてある。２６は、壁内の一次側配線、２７は、スイッチング電源である。
【００１６】
而して、この実施の形態では、アクリル板よりなる内側透明板５の中央部５ａを反射板３に最も近づくように側面視くの字型形状に成形し、内側透明板５の前記中央部５ａにＬＥＤ６が向くようにした状態で板状のＬＥＤユニット部材９を反射板３および内側透明板５間に設けることにより、反射板３で反射したＬＥＤ６からの光が内側透明板５を通ることによってＬＥＤ６からの光を筐体８内側から外側透明板４全体にわたり均一に照射できる。すなわち、反射板３で反射したＬＥＤ６からの光が内側透明板５を通ることによって外側透明板４を筐体８内側から照明するという反射方式を採用したので、従来の導光板を用いた照射方式に比べ、反射板３および外側透明板４間に設けた内側透明板５を中央部５ａが反射板３に最も近づくように側面視くの字型形状に成形するというだけの簡易な構成で外側透明板４への照射光の均一化を得ることができる。
なお、この実施の形態では、両面側に外側透明板４を設けたものを壁面２に取り付けるようにしたが、図５（Ａ）に示すように、一方面側にだけ外側透明板４を設けたものを壁面２に取り付けるようにしてもよい。
【００１７】
図７〜９は、設置面に固定状態で取り付けられるように構成したこの発明の第２の実施の形態を示す。
図７〜９において、図１〜６で示した符号と同一のものは同一または相当物である。上記第１の実施の形態では、単一の反射板３を共有する形で外側透明板４を筐体８の正面側と背面側に設けた構成のものを示したが、この第２の実施の形態では、外側透明板４ごとに反射板３を設けている。また、この第２の実施の形態では、ヒンジによって各外側透明板４が開閉操作できるように構成されている。
【００１８】
この第２の実施の形態では、筐体８の正面および背面には設置面ｆから所定高さの位置にそれぞれ正面板部３０および背面板部３１に形成された開口３２，３３を有し、これら両開口３２，３３を覆うようにそれぞれ外側透明板４，４が設けられ、両外側透明板４，４間の中央に、正面側の反射板３と背面側の反射板３とが対向設置されており、反射板３と対向する外側透明板４との間には内側透明板５が設けられ、ヒンジ３４によって前記各外側透明板４が開閉操作できるように構成されている。筐体８は、設置面に固定された台座３５に固定される。図８における３６はビス止め箇所、３７はリブ、３８は通線、３９はスイッチング電源、４０は補強板である。また、図９における４１は端子台付き配線用ボックス、４２は連通用パイプ、４３はアルミ角パイプ、４４はしみ防止カバー、４５はアルミ押型材、４６はヒンジ３４固定用のビス、４７はアルミ押型材、４８は塩化ビニルフィルム付アルミパネル、４９はアルミ押型材、５０は筐体８の正面部における下部分を構成するステンレス部材、５４は内側透明板５の取付け部材である。また、筐体８の正面部の表面には、外側透明板４以外の箇所に、図７に示すように、グレー、白、赤といった色違いの塩化ビニルフィルム５０，５１，５２が貼られている。
【００１９】
この第２の実施の形態では、上記第１の実施の形態と同様の効果を奏するとともに、さらに、各外側透明板４が開閉操作できるのでＬＥＤ６の交換といった各種のメンテナンスが可能となる。
【図面の簡単な説明】
【００２０】
【図１】この考案の第１の実施の形態における使用状態を示す正面面である。
【図２】図１におけるＡ−Ａ横断面図である。
【図３】図１におけるＢ−Ｂ縦断面図である。
【図４】図３におけるＣ部分の詳細図である。
【図５】（Ａ）は、この考案で用いる反射方式の原理を説明するとともに、内側透明板の比較例を示す図である。（Ｂ）は、この考案で用いる最も好ましい形状の内側透明板を示す図である。（Ｃ）は、この考案で用いる好ましい形状の内側透明板を示す図である。
【図６】単一の内側透明板を用いたこの考案の実施の形態を示す構成説明図である。
【図７】（Ａ）は、この考案の第２の実施の形態を示す正面図である。（Ｂ）は、上記第２の実施の形態を示す側面図である。
【図８】（Ａ）は、上記第２の実施の形態で用いる筐体の設置状態を示す正面図である。（Ｂ）は、上記第２の実施の形態における設置状態を示すす側面図である。
【図９】（Ａ）は、上記第２の実施の形態における内部の構成を示す構成説明図である。（Ｂ）は、図８（Ａ）におけるＥ部分の詳細図である。（Ｃ）は、図８（Ａ）におけるＦ部分の詳細図である。（Ｄ）は、図８（Ａ）におけるＨ部分の詳細図である。（Ｅ）は、図８（Ａ）におけるＧ部分の詳細図である。
【符号の説明】
【００２１】
１          ＬＥＤ内照式表示装置
３          反射板
４          外側透明板
５          内側透明板
５ａ        内側透明板の中央部
６          ＬＥＤ
８          筐体
９          ＬＥＤユニット部材
【図１】
0003124701.tif 000003
【図２】
0003124701.tif 000004
【図３】
0003124701.tif 000005
【図４】
0003124701.tif 000006
【図５】
0003124701.tif 000007
【図６】
0003124701.tif 000008
【図７】
0003124701.tif 000009
【図８】
0003124701.tif 000010
【図９】
0003124701.tif 000011
【手続補正書】
【提出日】平成18年6月21日(2006.6.21)
【手続補正１】
【補正対象書類名】図面
【補正対象項目名】図１
【補正方法】変更
【補正の内容】
【図１】
0003124701.tif 000012
【手続補正２】
【補正対象書類名】図面
【補正対象項目名】図７
【補正方法】変更
【補正の内容】
【図７】
0003124701.tif 000013